(57)【要約】【課題】両面印刷用の表面と裏面の各画像データの印刷用紙内における印刷領域の条件を受け付ける印刷領域設定装置、より簡易に両面の印刷領域の条件を設定する。【解決手段】表面と裏面とのいずれか一方の画像データの印刷領域の条件を受け付け、その受け付けた一方の面の印刷領域の条件に基づいて、その一方の面に印刷領域の条件に対応する他方の面の印刷領域の条件を設定する。【選択図】図７
2011084000.tif 000002
【特許請求の範囲】
【請求項１】
両面印刷用の表面と裏面の各画像データの印刷用紙内における印刷領域の条件を受け付ける印刷領域設定装置において、
前記表面と前記裏面とのいずれか一方の前記画像データの前記印刷領域の条件を受け付け、該受け付けた一方の面の印刷領域の条件に基づいて、該一方の面に印刷領域の条件に対応する他方の面の前記印刷領域の条件を設定する連動設定受付部を備えたことを特徴とする印刷領域設定装置。
【請求項２】
前記表面の画像データの印刷領域の条件と前記裏面の画像データの印刷領域の条件とを個別に受け付ける個別設定受付部と、
前記連動設定受付部による前記印刷領域の条件の受付けと前記個別設定受付部による前記印刷領域の条件の受付けとのいずれか一方の選択を受け付ける設定入力選択受付部とを備えたことを特徴とする請求項１記載の印刷領域設定装置。
【請求項３】
前記個別設定受付部が、前記両面印刷のとじ方向が短辺とじの場合、前記表面の印刷領域の左右移動条件と前記裏面の印刷領域の左右移動条件とで逆方向の条件を受け付け可能であることを特徴とする請求項２記載の印刷領域設定装置。
【請求項４】
前記両面印刷のとじ方向が短辺とじの場合と長辺とじの場合とで、前記印刷用紙上における前記印刷領域の範囲を示すアイコン表示を異なる表示とすることを特徴とする請求項１から３いずれか１項記載の印刷領域設定装置。
【発明の詳細な説明】
【技術分野】
【０００１】
本発明は、両面印刷用の表面と裏面の各画像データの印刷用紙内における印刷領域の条件を受け付ける印刷領域設定装置に関するものである。
【背景技術】
【０００２】
従来、スキャナなどにより原稿を読み取った画像データに基づいてサーマルヘッドなどを駆動し、孔版原紙を溶融穿孔することにより製版処理を施して版を作成し、この作成された版を印刷ドラムに巻着して印刷ドラムの内側よりインクを供給し、ローラなどによりインキを印刷用紙に転移することにより印刷を行う孔版印刷装置が種々提案されている。
【０００３】
そして、上記のような孔版印刷装置として、たとえば、特許文献１には、２つの印刷ドラムを備えた両面印刷用孔版印刷装置が提案されている。特許文献１に記載の両面印刷用孔版印刷装置は、具体的には、１つ目の印刷ドラムによって印刷用紙の一方に印刷を施し、その片面印刷済印刷用紙の未印刷面が２つ目の印刷ドラム側に向くように片面印刷済印刷用紙を反転搬送した後、２つの目の印刷ドラムによって片面印刷済印刷用紙の未印刷面に印刷を施すものである。
【０００４】
一方、特許文献２には、製版装置を備えた孔版印刷装置において、印刷用紙に対する原版の左右方向および天地方向の位置を、マーク表示を利用して調整することが提案されている。
【先行技術文献】
【特許文献】
【０００５】
【特許文献１】特開２００５−２９３７５号公報
【特許文献２】特開平７−１３７２３４号公報
【発明の概要】
【発明が解決しようとする課題】
【０００６】
ここで、特許文献１に記載のような両面印刷用孔版印刷装置においても、特許文献２に記載の孔版印刷装置のように、印刷用紙に対する印刷領域の位置を調整したい場合がある。そこで、たとえば、印刷用紙の表面に対する印刷領域の位置と裏面に対する印刷領域の位置とをそれぞれユーザーによって設定することが考えられる。
【０００７】
しかしながら、どのような原稿画像であっても常時、表面の印刷領域と裏面の印刷領域とを別々に設定するようにしたのでは操作が煩雑となって面倒である。
【０００８】
本発明は、上記事情に鑑み、両面印刷用の表面と裏面の各画像データの印刷用紙内における印刷領域の条件を受け付ける印刷領域設定装置において、より簡易に両面の印刷領域の条件を設定することができる印刷領域設定装置を提供することを目的とするものである。
【課題を解決するための手段】
【０００９】
本発明の印刷領域設定装置は、両面印刷用の表面と裏面の各画像データの印刷用紙内における印刷領域の条件を受け付ける印刷領域設定装置において、表面と裏面とのいずれか一方の画像データの印刷領域の条件を受け付け、その受け付けた一方の面の印刷領域の条件に基づいて、その一方の面に印刷領域の条件に対応する他方の面の印刷領域の条件を設定する連動設定受付部を備えたことを特徴とする。
【００１０】
また、上記本発明の印刷領域設定装置においては、表面の画像データの印刷領域の条件と裏面の画像データの印刷領域の条件とを個別に受け付ける個別設定受付部と、連動設定受付部による印刷領域の条件の受付けと個別設定受付部による印刷領域の条件の受付けとのいずれか一方の選択を受け付ける設定入力選択受付部とを備えることができる。
【００１１】
また、個別設定受付部を、両面印刷のとじ方向が短辺とじの場合、表面の印刷領域の左右移動条件と裏面の印刷領域の左右移動条件とで逆方向の条件を受け付け可能なものとすることができる。
【００１２】
また、両面印刷のとじ方向が短辺とじの場合と長辺とじの場合とで、印刷用紙上における印刷領域の範囲を示すアイコン表示を異なる表示とすることができる。
【発明の効果】
【００１３】
本発明の印刷領域設定装置によれば、表面と裏面とのいずれか一方の画像データの印刷領域の条件を受け付け、その受け付けた一方の面の印刷領域の条件に基づいて、その一方の面に印刷領域の条件に対応する他方の面の印刷領域の条件を設定するようにしたので、いずれか一方の面の印刷領域の条件を設定するだけで、他方の面の印刷領域の条件も自動的に設定することができ、簡易に両面の印刷領域の条件を設定することができる。
【００１４】
また、上記本発明の印刷領域設定装置において、上述した連動設定の印刷領域の条件の受付けと、表面の画像データの印刷領域の条件と裏面の画像データの印刷領域の条件とを個別に受け付ける個別設定の印刷領域の条件の受付けとのいずれか一方を選択できるようにした場合には、たとえば、原稿画像によっては、上記のように連動設定すると不都合が生じる場合があるが、そのような場合には、連動設定を行うことなく個別設定に切り替えることができ、より適切な印刷領域の条件の設定を行うことができる。
【図面の簡単な説明】
【００１５】
【図１】本発明の印刷領域設定装置の一実施形態を用いた孔版印刷システムの全体概略構成図
【図２】図１に示すプリンタドライバの概略構成を示すブロック図
【図３】原稿画像の一例を示す図
【図４】図３に示す原稿画像を両面印刷した場合のイメージ図
【図５】長辺とじ、連動設定の場合のユーザーインターフェースの画面の一例を示す図
【図６】長辺とじの場合における印刷用紙の天地方向の反転を説明するための図
【図７】長辺とじ、連動設定の場合における印刷画像の移動の作用を説明するための図
【図８】長辺とじ、かつ印刷用紙の短辺方向と排紙方向とが同じである場合における処理を説明するための図
【図９】短辺とじ、連動設定の場合のユーザーインターフェースの画面の一例を示す図
【図１０】短辺とじの場合における印刷用紙の天地方向の反転を説明するための図
【図１１】短辺とじ、かつ印刷用紙の短辺方向と排紙方向とが同じである場合における処理を説明するための図
【図１２】短辺とじ、連動設定の場合における印刷画像の移動の作用を説明するための図
【図１３】長辺とじ、個別設定の場合のユーザーインターフェースの画面の一例を示す図
【図１４】長辺とじ、個別設定の場合における印刷画像の移動の作用を説明するための図
【図１５】短辺とじ、連動設定の場合のユーザーインターフェースの画面の一例を示す図
【図１６】短辺とじ、個別設定の場合における印刷画像の移動の作用を説明するための図
【発明を実施するための形態】
【００１６】
以下、図面を参照して本発明の印刷領域設定装置の一実施形態を用いた孔版印刷システムについて詳細に説明する。本実施形態の孔版印刷システムは、印刷用紙内における印刷領域の位置の設定方法に特徴を有するものであるが、まずは、その全体の概略構成について説明する。図１は、本実施形態の孔版印刷システムの全体概略構成図である。
【００１７】
本実施形態の孔版印刷システムは、図１に示すように、両面印刷に用いる表面と裏面の画像データを受け付け、ＰＤＬ(Page Description Language)データなどの印刷データに変換して出力するとともに、表面と裏面の画像データの印刷用紙内における印刷領域の条件を受け付けるプリンタドライバ２５がインストールされたコンピュータ１と、コンピュータ１のプリンタドライバ２５から出力された印刷データに基づいて、両面印刷を行う孔版印刷装置２とを備えている。
【００１８】
孔版印刷装置２は、図１に示すように、原稿の画像を読み取って画像データを出力する画像読取部１０、画像読取部１０で読み取られた画像データに基づいて孔版原紙Ｍに製版処理を施す第１および第２の製版部３０，３５、第１および第２の製版部３０，３５において製版された孔版原紙Ｍを用いて印刷用紙Ｐ１に印刷を施す第１および第２の印刷部４０，５０、第１の印刷部４０に印刷用紙Ｐ１を給紙する給紙部２０、第１の印刷部４０において片面印刷された印刷用紙Ｐ２を一旦ストックし、その後、所定のタイミングで第２の印刷部５０に給紙する中間ストック部４６と、第２の印刷部５０によって両面印刷された印刷用紙Ｐ３が排出される排紙部７０とを備えている。
【００１９】
画像読取部１０は、原稿の画像情報を光電的に読み取るラインイメージセンサを有し、ラインイメージセンサで原稿を走査することによって原稿を読み取り、画像データを出力するものである。
【００２０】
第１の製版部３０は、複数個の発熱体が一列に配列されてなるサーマルヘッド３１を有し、孔版原紙ロールから繰り出された孔版原紙Ｍに対し、サーマルヘッド３１を用いて製版処理を行うものである。第１の製版部３０は、コンピュータ１のプリンタドライバ２５から出力された印刷データに基づいて製版処理を行うものである。
【００２１】
第２の製版部３５も、第１の製版部３０と同様に、サーマルヘッド３６を有し、孔版原紙ロールから繰り出された孔版原紙Ｍに対し、サーマルヘッド３６を用いて製版処理を行うものである。第２の製版部３５も、コンピュータ１のプリンタドライバ２５から出力された印刷データに基づいて製版処理を行うものである。
【００２２】
第１の印刷部４０は、多孔金属板、メッシュ構造体などのインク通過性の円筒状の第１の印刷ドラム４１と、印刷用紙Ｐ１を所定のプレス圧で第１の印刷ドラム４１に圧接させる第１のプレスローラ４２と、第１の印刷ドラム４１から片面印刷済印刷用紙Ｐ２を剥ぎ取る第１の剥取爪４３とを備えている。第１の印刷ドラム４１の外周には第１の製版部３０において穿孔された製版済孔版原紙Ｍが巻き付けられて装着されるようになっている。
【００２３】
第２の印刷部５０は、第１の印刷部４０と同様に、円筒状の第２の印刷ドラム５１と、印刷用紙Ｐ２を所定のプレス圧で第２の印刷ドラム５１に圧接させる第２のプレスローラ５２と、第２の印刷ドラム５１から両面印刷済印刷用紙Ｐ３を剥ぎ取る第２の剥取爪５３とを備えている。第２の印刷ドラム５１の外周には第２の製版部３５において穿孔された製版済孔版原紙Ｍが巻き付けられて装着されるようになっている。
【００２４】
なお、本実施形態では、第１の印刷部４０によって印刷される印刷用紙の面を表面と呼び、第２の印刷部５０によって印刷される印刷用紙の面を裏面と呼ぶことにする。
【００２５】
給紙部２０は、印刷用紙Ｐ１が載置される給紙台２１と、給紙台２１より印刷用紙Ｐ１を一枚ずつ取り出して２次給紙ローラ２３に向けて送り出す１次給紙ローラ２２と、１次給紙ローラ２２の搬送方向下流側に配置され、１次給紙ローラ２２により搬送された印刷用紙Ｐ１の先端を一旦停止させ、所定のタイミングで印刷用紙Ｐ１を第１の印刷ドラム４１と第１のプレスローラ４２との間に送り出す２次給紙ローラ２３とを備えている。
【００２６】
排紙部７０は、両面印刷済印刷用紙Ｐ３を排紙台７１まで搬送する排紙送りベルト部７２と、排紙送りベルト部７２により搬送された両面印刷済印刷用紙Ｐ３が積載される排紙台７１とを備えている。
【００２７】
また、第１の印刷部４０と中間ストック部４６との間には、湾曲搬送部４４が設置されている。湾曲搬送部４４は、図１に示すように、搬送経路に沿った湾曲表面を有するガイド板を備えている。ガイド板の湾曲表面には、第１の印刷部４０から送り出された印刷用紙Ｐ１を吸引する吸引口が設けられた搬送ベルトが設置されている。そして、この搬送ベルトを循環移動させるプーリー４５が設けられている。湾曲搬送部４４は、搬送ベルトの吸引口によって片面印刷済印刷用紙Ｐ２を吸引するとともに、プーリー４５を回転させることによって搬送ベルトにより片面印刷済印刷用紙Ｐ２をガイド板の湾曲表面に沿って搬送するものである。
【００２８】
また、中間ストック部４６と第２の印刷部５０との間には、中間ストック部４６から搬出された片面印刷済印刷用紙Ｐ２をピックアップするピックアップローラ４７と、ピックアップローラ４７によってピックアップされた片面印刷済印刷用紙Ｐ２を順次所定のタイミングで第２の印刷ドラム５１と第２のプレスローラ５２との間に送り出すタイミングローラ４８とを備えている。
【００２９】
次に、コンピュータ１のプリンタドライバ２５について説明する。図２は、プリンタドライバ２５の概略構成を示すブロック図である。
【００３０】
プリンタドライバ２５は、図２に示すように、画像データの編集ソフトウェアから出力された両面印刷用の表面と裏面の２枚の画像データを受け付ける画像データ受付部２４と、
裏面の画像データの印刷領域の条件を受け付け、その受け付けた裏面の印刷領域の条件に基づいて、裏面に印刷領域の条件に対応する表面の印刷領域の条件を設定する連動設定受付部２７と、表面の画像データの印刷領域の条件と裏面の画像データの印刷領域の条件とを個別に受け付ける個別設定受付部２８と、連動設定受付部２７による印刷領域の条件の受付けと個別設定受付部２８による印刷領域の条件の受付けとのいずれか一方の選択を受け付ける設定入力選択受付部２６と、画像データ受付部２４によって受け付けられた画像データに対して印刷領域の条件に基づいて画像処理を施すとともに、ＰＤＬデータの印刷データに変換して出力する画像処理部２９とを備えている。なお、各部の作用については、後で詳述する。
【００３１】
次に、本実施形態の孔版印刷システムの作用について説明する。
【００３２】
まず、コンピュータ１によって表面の画像データと裏面の画像データとが編集されるが、本実施形態の説明では、図３に示すように、表面の画像データとして「あ」の文字、裏面の画像データとして「い」の文字が編集されるものとする。
【００３３】
そして、図３に示す画像データをそのまま孔版印刷装置２で印刷した場合の印刷物のイメージを図４に示す。なお、図４は、短辺とじおよび長辺とじの印刷物を表面から見たイメージを示しており、点線で示す「い」の文字は、裏面に印刷された「い」の文字を表面から透かして見たイメージである。
【００３４】
ここで、上述した「あ」の文字と「い」の文字との印刷用紙内における位置を移動させて印刷する場合の作用について、以下に説明する。なお、ここでは、「あ」の文字と「い」の文字の原稿サイズはＡ４サイズであり、印刷用紙のサイズはＡ３サイズであるとする。
【００３５】
コンピュータ１のプリンタドライバ２５によって、図５に示すようなユーザーインターフェースがモニタ上に表示される。そして、ユーザーインターフェースにおいては、表面の画像の位置調整と裏面の画像の位置調整とを連動させて行うか、または個別に行うかをユーザーが選択可能になっている。具体的には、図５の点線四角内に示すように、「両面個別設定」のチェックボックスが表示されており、このチェックボックスがチェックされた場合には個別設定が受け付けられ、チェックされていない場合には連動設定が受け付けられる。
【００３６】
また、ユーザーインターフェースにおいては、表面（奇数ページ）の画像の天地方向の移動量の入力を受け付ける数値入力ボックスＳ１および左右方向の移動量の入力を受け付ける数値入力ボックスＳ２と、裏面（偶数ページ）の画像の天地方向の移動量の入力を受け付ける数値入力ボックスＳ３および左右方向の移動量の入力を受け付ける数値入力ボックスＳ４とが表示される。
【００３７】
さらに、ユーザーインターフェースにおいては、数値入力ボックスＳ１，Ｓ２において入力された移動量に応じた印刷用紙内における表面の印刷領域の位置を示すアイコンＡ１と、数値入力ボックスＳ３，Ｓ４において入力された移動量に応じた印刷用紙内における裏面の印刷領域の位置を示すアイコンＡ２とが表示される。なお、本実施形態では、長辺とじと短辺とじとで表面の印刷領域の位置を示すアイコンの表示方法が異なり、図５は長辺とじの場合のアイコンを表示している。短辺とじの場合のアイコンの表示方法については、後で説明する。また、長辺とじか短辺とじかについては、不図示の所定の設定画面において設定されるものとする。
【００３８】
まず、長辺とじを行う際、「両面個別設定」のチェックボックスがチェックされずに、連動設定を受け付けた場合について説明する。
【００３９】
「両面個別設定」のチェックボックスがチェックされていない場合には、プリンタドライバ２５の設定入力選択受付部２６は、連動設定受付部２７による印刷領域の条件の受付けを行うようにする。具体的には、図５に示すように、表面の印刷領域についての数値入力ボックスＳ１，Ｓ２は反転表示され、数値入力を不可能にし、裏面の印刷領域についての数値入力ボックスＳ３，Ｓ４においてのみ数値入力ができるようにする。
【００４０】
そして、ユーザーによって裏面の印刷領域についての数値入力ボックスＳ３，Ｓ４にそれぞれ所望の移動量が入力され、その移動量が連動設定受付部２７に印刷領域の条件として入力される。なお、本実施形態においては、印刷用紙の排紙方向（通紙方向）を天方向として、裏面の印刷領域が印刷用紙内の最も天方向側に位置しているときを基準とし、地方向側に移動する移動量を０ｍｍ〜１２３ｍｍの範囲で受け付けるものとする。また、印刷用紙の排紙方向（通紙方向）に直交する方向を印刷用紙の左右方向とし、裏面の印刷領域が印刷用紙内の中央に位置しているときを基準として、天方向に向かって右方向側に移動する移動量を０ｍｍ〜４３．５ｍｍの範囲で、天方向に向かって左方向側に移動する移動量を−４３．５ｍｍ〜０ｍｍの範囲で受け付けるものとする。
【００４１】
そして、連動設定受付部２７は、入力された裏面の印刷領域の移動量に基づいて、その裏面の移動量に対応する表面の印刷領域の移動量を自動的に算出して設定する。具体的には、天地方向については、数値入力ボックスＳ３，Ｓ４において入力された移動量と同じ移動量が設定される。一方、左右方向については、数値入力ボックスＳ３，Ｓ４において入力された移動量にマイナスを掛けた値を移動量として算出して設定する。すなわち、左右方向については、逆方向側の移動量に変換して設定する。たとえば、左右方向の数値入力ボックスＳ４において２０ｍｍが入力された場合には、表面の印刷領域の移動量として、−２０ｍｍが算出されて設定される。
【００４２】
そして、連動設定受付部２７において設定された天地方向および左右方向の印刷領域の移動量は、画像処理部２９に出力され、画像処理部２９は、入力された移動量に基づいて表面と裏面の画像データに画像処理を施し、その画像処理の施された表面と裏面の画像データをＰＤＬデータの印刷データに変換して孔版印刷装置２に出力する。
【００４３】
ここで、たとえば、印刷用紙の長辺方向と印刷用紙の排紙方向とが同じである場合には、本実施形態の孔版印刷装置２においては中間ストック部４６において印刷用紙が反転搬送され、その天地方向が逆転することになる。したがって、図６に示すように、表面の印刷データに対しては、第１の印刷部において１８０度回転させる処理が施される。なお、裏面の印刷データに対しては、回転処理は施されない。
【００４４】
図７は、図３に示す表面と裏面の原稿の画像データに対し、連動設定受付部２７によって設定された移動量に基づいて画像処理を施すとともに、上述したように回転処理を施した印刷結果を示したものである。図７に示す矢印が移動方向を示しており、矢印の先に移動した後の「あ」の文字と「い」の文字とを示している。また、本実施形態においては、表面の印刷領域の移動量と裏面の印刷領域の移動量とを上述したように連動させるようにしたので、図７に示すように、移動後の「あ」の文字と「い」の文字とが印刷用紙を透かした状態で重なるようになる。
【００４５】
また、ユーザーインターフェースにおいては、連動設定受付部２７によって設定された移動量に応じて、図５に示すアイコンＡ１とアイコンＡ２の中の印刷領域（グレーの部分）の位置が移動する。
【００４６】
なお、上記説明では、印刷用紙の長辺方向と印刷用紙の排紙方向とが同じである場合について説明したが、印刷用紙の短辺方向と印刷用紙の排紙方向が同じであってもよい。この場合、印刷用紙の短辺方向が天地方向となり、印刷用紙の長辺方向が左右方向となり、移動量の連動設定については、上記説明と逆である。すなわち、天地方向（短辺方向）については、表面と裏面とで逆方向の移動量が設定され、一方、左右方向（長辺方向）については、表面と裏面とで同じ移動量が設定される。なお、裏面の印刷領域が印刷用紙内の基準位置については、上記と同様であり、裏面の印刷領域が印刷用紙内の最も天方向側に位置するとともに、左右方向について中央に位置しているときが基準位置となるが、受け付けられる移動量の範囲については、原稿サイズと印刷用紙のサイズに応じて適宜設定される。
【００４７】
そして、印刷用紙の長辺方向と印刷用紙の排紙方向とが同じである場合には、表面の印刷データに１８０度回転処理を施すようにしたが、印刷用紙の短辺方向と印刷用紙の排紙方向が同じである場合には、図８に示すように、表面の印刷データに１８０度回転処理を施さなくても、移動後の「あ」の文字と「い」の文字とが印刷用紙を透かした状態で重なるようにすることができる。
【００４８】
次に、短辺とじを行う際、「両面個別設定」のチェックボックスがチェックされずに、連動設定を受け付けた場合について説明する。図９は、短辺とじが設定された場合のユーザーインターフェースの画面を示している。なお、まず、印刷用紙の長辺方向と印刷用紙の排紙方向とが同じである場合について説明する。
【００４９】
短辺とじのユーザーインターフェースも、表面の印刷領域の数値入力ボックスＳ１，Ｓ２および裏面の印刷領域の数値入力ボックスＳ３，Ｓ４については、長辺とじのユーザーインターフェースと同様であるが、表面の印刷領域を示すアイコンＡ１の表示方法が異なる。短辺とじのユーザーインターフェースにおいては、図９に示すように、印刷用紙の天地方向を逆転させ、印刷領域が、逆転後の最も天方向側にある位置を基準位置とし、天地方向についての数値入力ボックスＳ３において入力された数値に応じて、印刷領域を地方向側に移動させる。このようにアイコンＡ１を表示させる理由を以下に示す。
【００５０】
長辺とじの両面印刷を行う場合には、上述したように本実施形態の孔版印刷装置２においては、中間ストック部４６において印刷用紙が反転搬送され、その天地方向が逆転することになるので、第１の印刷部４０において印刷される画像については、予め画像データを１８０度回転させている（図６参照）。しかしながら、短辺とじの両面印刷を行う場合には、長辺とじの場合のように１８０度回転させる必要がなく（図１０参照）、印刷用紙の天地方向が逆転したままであり、印刷用紙の排紙方向（通紙方向）とは逆方向が天方向となる。
【００５１】
したがって、ユーザーインターフェース上においては、表面の印刷領域のアイコンＡ１については、印刷用紙の天地方向を逆転させ、印刷領域が、逆転後の最も天方向側にある位置を基準位置とし、裏面の印刷領域の天地方向についての数値入力ボックスＳ３において入力された数値に応じて、印刷領域を地方向側に移動させるようにし、より印刷物のイメージに近くなるように表示する。なお、数値入力ボックスＳ３に入力される値の範囲は、長辺とじの場合と同様である。
【００５２】
そして、連動設定受付部２７は、入力された裏面の印刷領域の移動量に基づいて、その裏面の移動量に対応する表面の印刷領域の移動量を自動的に算出して設定する。具体的には、短辺とじの場合には、上述したように中間ストック部４６において印刷用紙の天地方向が逆転するので、天地方向については、数値入力ボックスＳ３，Ｓ４において入力された移動量にマイナスを掛けた値を移動量として算出して設定する。一方、左右方向については、数値入力ボックスＳ３，Ｓ４において入力された移動量と同じ移動量を設定する。
【００５３】
そして、連動設定受付部２７において設定された天地方向および左右方向の移動量は、画像処理部２９に出力され、画像処理部２９は、入力された移動量に基づいて表面と裏面の画像データに画像処理を施し、その画像処理の施された画像データをＰＤＬデータの印刷データに変換して孔版印刷装置２に出力する。
【００５４】
なお、上記説明では、印刷用紙の長辺方向と印刷用紙の排紙方向とが同じである場合について説明したが、長辺とじの場合と同様に、短辺とじの場合においても、印刷用紙の短辺方向と印刷用紙の排紙方向が同じであってもよい。そして、この場合、印刷用紙の短辺方向が天地方向となり、印刷用紙の長辺方向が左右方向となり、移動量の連動設定については、上記説明と逆である。すなわち、天地方向（短辺方向）については、表面と裏面とで同じ移動量が設定され、一方、左右方向（長辺方向）については、表面と裏面とで逆方向の移動量が設定される。なお、裏面の印刷領域が印刷用紙内の基準位置については、上記と同様であり、裏面の印刷領域が印刷用紙内の最も天方向側に位置するとともに、左右方向について中央に位置しているときが基準位置となるが、受け付けられる移動量の範囲については、原稿サイズと印刷用紙のサイズに応じて適宜設定される。
【００５５】
そして、上述のように設定された移動量に基づいて、画像処理部２９は、入力された移動量に基づいて表面と裏面の画像データに画像処理を施し、その画像処理の施された画像データをＰＤＬデータの印刷データに変換して孔版印刷装置２に出力する。
【００５６】
そして、短辺とじ、かつ印刷用紙の短辺方向と印刷用紙の排紙方向が同じである場合には、図１１に示すように、表面の印刷データに対しては回転処理が施されないが、裏面の印刷データに対しては１８０度回転処理が施される。なお、図１１は、表面の「あ」の文字を中央から右上に移動し、裏面の「い」の文字を中央から右下に移動した場合の印刷過程を説明した図である。
【００５７】
ここで、上述したように短辺とじ、かつ印刷用紙の長辺方向と印刷用紙の排紙方向とが同じである場合には、印刷領域の天地方向については、数値入力ボックスＳ３において入力された移動量にマイナスを掛けた値を移動量として算出して設定するようにしたが、このようにした場合、たとえば、表面の印刷領域の最も上側に「あ」の文字がある場合には、図１２に示すように、裏面の印刷領域の「い」の文字を地方向側に移動させた場合、連動して移動する表面の印刷領域の移動方向はその逆になるので、「あ」の文字が印刷用紙の範囲からはみ出してしまうことになり、印刷することができない。印刷用紙の短辺方向と印刷用紙の排紙方向とが同じである場合にも、表面の印刷領域の最も左側に「あ」の文字がある場合には、図１２に示すように、裏面の印刷領域の「い」の文字を右方向側に移動させた場合、連動して移動する表面の印刷領域の移動方向はその逆になるので、「あ」の文字が印刷用紙の範囲からはみ出してしまうことになり、印刷することができない。
【００５８】
また、長辺とじの場合においても、上述したように裏面の印刷領域の移動に連動させて表面の印刷領域を移動させたのでは、たとえば、裏面の印刷用紙に対する「い」の文字の位置と表面の印刷用紙に対する「あ」の文字の位置とを一致させたいような場合には、不都合である。
【００５９】
そこで、本実施形態のプリンタドライバ２５のユーザーインターフェースにおいては、表面の画像データの印刷領域の条件と裏面の画像データの印刷領域の条件とを個別に受け付ける個別設定を可能にしている。そして、「両面個別設定」のチェックボックスがチェックされた場合に、印刷領域の条件の個別設定が受け付けられる。
【００６０】
「両面個別設定」のチェックボックスがチェックされた場合には、プリンタドライバ２５の設定入力選択受付部２６は、個別設定受付部２８による印刷領域の条件の受付けを行うようにする。より具体的には、図１３に示すように、表面の印刷領域についての数値入力ボックスＳ１，Ｓ２の反転表示が解除され、裏面の印刷領域についての数値入力ボックスＳ３，Ｓ４と同様に数値入力ができるようになる。なお、図１３は、長辺とじの場合のユーザーインターフェースの画面を示している。
【００６１】
そして、ユーザーによって裏面の印刷領域についての数値入力ボックスＳ３，Ｓ４にそれぞれ所望の移動量が入力されるとともに、表面の印刷領域についての数値入力ボックスＳ１，Ｓ２にそれぞれ所望の移動量が入力される。そして、その移動量が個別設定受付部２８に印刷領域の条件として入力される。なお、入力される移動量の値の範囲については、上述した連動設定の場合と同様である。
【００６２】
そして、個別設定受付部２８において設定された天地方向および左右方向の印刷領域の移動量は、画像処理部２９に出力され、画像処理部２９は、入力された移動量に基づいて表面と裏面の画像データに画像処理を施し、その画像処理の施された画像データをＰＤＬデータの印刷データに変換して孔版印刷装置２に出力する。
【００６３】
図１４は、個別設定受付部２８によって設定された移動量に基づいて画像処理を施した結果を示したものである。図１４に示す矢印が移動方向を示しており、矢印の先に移動した後の「あ」の文字と「い」の文字とを示している。個別設定においては、連動設定のように裏面の印刷領域の左右方向の移動方向に連動させて表面の印刷領域の左右方向の移動方向を設定していないので、図１４に示すように、裏面の印刷領域の左右方向の移動方向と、表面の印刷領域の左右方向の移動方向とを同じ方向にもすることができる。
【００６４】
そして、個別設定においても、ユーザーインターフェースにおいて、個別設定受付部２８によって設定された移動量に応じて、図１３に示すアイコンＡ１とアイコンＡ２の中の印刷領域（グレーの部分）の位置が移動する。
【００６５】
なお、上記個別設定の説明は、印刷用紙の長辺方向と印刷用紙の排紙方向とが同じである場合について説明したが、印刷用紙の短辺方向と印刷用紙の排紙方向とが同じである場合についても、印刷用紙に対する天地方向と左右方向とが逆になるだけであり、所望の位置に印刷領域が配置されるように表面と裏面との移動量が個別に適宜設定することができる。
【００６６】
次に、個別設定の短辺とじの場合について説明する。図１５は、短辺とじが設定された場合のユーザーインターフェースの画面を示している。
【００６７】
個別設定における短辺とじのユーザーインターフェースも、表面の印刷領域の数値入力ボックスＳ１，Ｓ２および裏面の印刷領域の数値入力ボックスＳ３，Ｓ４については、長辺とじのユーザーインターフェースと同様であるが、連動設定の短辺とじの場合と同様に、表面の印刷領域を示すアイコンＡ１の表示方法が異なる。個別設定の短辺とじのユーザーインターフェースにおいても、図１５に示すように、印刷用紙の天地方向を逆転させ、印刷領域が、逆転後の最も天方向側にある位置を基準位置とし、天地方向についての数値入力ボックスＳ３において入力された数値に応じて、印刷領域を地方向側に移動させる。
【００６８】
そして、個別設定受付部２８において設定された天地方向および左右方向の印刷領域の移動量は、画像処理部２９に出力され、画像処理部２９は、入力された移動量に基づいて表面と裏面の画像データに画像処理を施し、その画像処理の施された画像データをＰＤＬデータの印刷データに変換して孔版印刷装置２に出力する。
【００６９】
図１６は、個別設定受付部２８によって設定された移動量に基づいて画像処理を施した結果を示したものである。図１６に示す矢印が移動方向を示しており、矢印の先に移動した後の「あ」の文字と「い」の文字とを示している。個別設定においては、連動設定のように裏面の印刷領域の天地方向の移動方向に連動させて表面の印刷領域の天地方向の移動方向を設定していないので、図１６に示すように、裏面の印刷領域の天地方向についての移動方向と、表面の印刷領域の天地方向についての移動方向とを同じ方向にもすることができ、さらに裏面の印刷領域の左右方向についての移動方向と、表面の印刷領域の左右方向についての移動方向とを逆方向にもすることができる。すなわち、印刷領域内の画像の位置に応じて適切な移動方向を設定することができる。
【００７０】
なお、上記個別設定の説明は、印刷用紙の長辺方向と印刷用紙の排紙方向とが同じである場合について説明したが、印刷用紙の短辺方向と印刷用紙の排紙方向とが同じである場合についても印刷用紙に対する天地方向と左右方向とが逆になるだけであり、所望の位置に印刷領域が配置されるように表面と裏面との移動量が個別に適宜設定することができる。
【００７１】
また、上記実施形態の孔版印刷システムにおいては、連動設定の場合において裏面の印刷領域の条件を基準にして表面の印刷領域の条件を自動的に設定するようにしたが、これに限らず、表面の印刷領域の条件を基準にして裏面の印刷領域の条件を自動的に設定するようにしてもよい。
【００７２】
次に、上述のようにして印刷領域が設定された印刷データに基づいて、孔版印刷装置２において両面印刷を行う作用について説明する。
【００７３】
まず、表面の印刷データが第１の製版部３０に入力されて製版処理が行われ、裏面の印刷データが第２の製版部３５に入力されて製版処理が行われる。
【００７４】
そして、第１の製版部３０において製版処理の施された版は、第１の印刷ドラム４１に巻着され、第２の製版部３５において製版処理の施された版は、第２の印刷ドラム５１に巻着され、印刷動作が実行される。
【００７５】
具体的には、インク供給ポンプ（図示省略）により第１および第２の印刷ドラム４１，５１の内側にインクが供給され、第１および第２の印刷ドラム４１，５１が回転駆動される。そして、第１および第２の印刷ドラム４１，５１の回転に同期して所定のタイミングにて印刷用紙Ｐ１が１次給紙ローラ２２によって給紙台２１から繰り出され、一旦２次給紙ローラ２３に当接してたるみを形成した後、所定のタイミングで２次給紙ローラ２３により図１における左から右へ搬送され、第１の印刷ドラム４１と第１のプレスローラ４２との間に供給される。そして、第１の印刷ドラム４１の外周面に巻き付けられている製版済孔版原紙Ｍに対し、印刷用紙Ｐ１が第１のプレスローラ４２によって圧接されることにより印刷用紙Ｐ１に対して片面の孔版印刷が行われる。
【００７６】
そして、第１の印刷ドラム４１が所定の角度だけ回転して印刷用紙Ｐ１への片面の孔版印刷が終了すると、その片面印刷済印刷用紙Ｐ２は剥取爪４３により第１の印刷ドラム４１から剥ぎ取られ、その剥ぎ取られた片面印刷済印刷用紙Ｐ２は、湾曲搬送部４４によって中間ストック部４６に搬送される。
【００７７】
片面印刷済印刷用紙Ｐ２は、中間ストック部４６に一旦ストックされた後、印刷面が下側に向けられた状態（印刷されていない面が上側）で中間ストック部４６から排出され、ピックアップローラ４７によってピックアップされ、一旦タイミングローラ４８に当接してたるみを形成した後、所定のタイミングでタイミングローラ４８によって第２の印刷ドラム５１と第２のプレスローラ５２との間に供給される。
【００７８】
そして、第２の印刷ドラム５１の外周面に巻き付けられている製版済孔版原紙Ｍに対し、片面印刷済印刷用紙Ｐ２の未印刷面が第２のプレスローラ５２によって圧接されることにより片面印刷済印刷用紙Ｐ２の未印刷面に対して孔版印刷が行われる。
【００７９】
そして、第２の印刷ドラム５１が所定の角度だけ回転して片面印刷済印刷用紙Ｐ２の未印刷面への孔版印刷が終了すると、その両面印刷済印刷用紙Ｐ３は剥取爪５３により第２の印刷ドラム５１から剥ぎ取られ、その剥ぎ取られた両面印刷済印刷用紙Ｐ３は、排紙送りベルト部７２により排紙台７１まで搬送され、排紙台７１に積載される。
【００８０】
そして、再び給紙台２１から印刷用紙Ｐ１が繰り出され、上記と同様にして印刷用紙Ｐ１に対して両面孔版印刷が行われる。
【００８１】
また、上記実施形態の孔版印刷システムは、本発明の印刷領域設定装置をプリンタドライバ２５としてコンピュータ１に実装したものであるが、これに限らず、本発明の印刷領域設定装置を孔版印刷装置２側に設けるようにしてもよい。この場合には、画像データ受付部２４は、画像読取部１０によって読み取られた画像データを受け付けるようにすることができる。なお、この場合、ユーザーインターフェースについては、コンピュータ１に表示させてもよいし、孔版印刷装置２に設けられたタッチパネルなどからなる操作部に表示させるようにしてもよい。
【００８２】
また、上記実施形態は本発明の印刷領域設定装置を孔版印刷システムに適用したものであるが、これに限らず、インクジェットプリンタを備えたシステムに適用するようにしてもよい。
【符号の説明】
【００８３】
１     コンピュータ
２     孔版印刷装置
２４   画像データ受付部
２５   プリンタドライバ
２６   設定入力選択受付部
２７   連動設定受付部
２８   個別設定受付部
２９   画像処理部
３０   第１の製版部
３５   第２の製版部
４０   第１の印刷部
４１   第１の印刷ドラム
４６   中間ストック部
５０   第２の印刷部
５１   第２の印刷ドラム
【図１】
2011084000.tif 000003
【図２】
2011084000.tif 000004
【図３】
2011084000.tif 000005
【図４】
2011084000.tif 000006
【図５】
2011084000.tif 000007
【図６】
2011084000.tif 000008
【図７】
2011084000.tif 000009
【図８】
2011084000.tif 000010
【図９】
2011084000.tif 000011
【図１０】
2011084000.tif 000012
【図１１】
2011084000.tif 000013
【図１２】
2011084000.tif 000014
【図１３】
2011084000.tif 000015
【図１４】
2011084000.tif 000016
【図１５】
2011084000.tif 000017
【図１６】
2011084000.tif 000018